(57)【要約】      （修正有）【課題】コネクターを外針や内針と別々に収容して、外針や内針と別々に取り出すことができる留置針の包装容器を提供すること。【解決手段】カニューレ２１とハウジング２２からなる外針２０と、金属針３１とハブ３２からなる内針３０と、内針３０が外針２０から外されているときにハウジング２２に連結できるコネクター４０とで留置針を構成した。そして、留置針を収容する包装容器１０を、組み付けられた外針２０と内針３０を収容する内外針収容部１１と、コネクター４０を収容するコネクター収容部１２とで構成し、内外針収容部１１とコネクター収容部１２とを別々に開封可能にした。また、コネクター収容部１２を、筒状連通部の先端側部分を包囲してコネクター４０を保持する保持部１５と、コネクター蓋部１６とで構成した。さらに、保持部１５に、筒状連通部に連通する流路を形成した。【選択図】図１
2007007240.tif 000002
【特許請求の範囲】
【請求項１】
内腔を備えたカニューレと、前記カニューレの基端部に連結され内部に前記カニューレの内腔に連通する空間部が設けられたハウジングとからなる外針と、
前記カニューレの先端開口部から先端部を突出させた状態で前記外針内に挿入可能な金属針と、前記金属針の基端部に連結されたハブとからなる内針と、
前記内針が前記外針から取り外されているときに、前記ハウジングに連結できる連結部と、前記ハウジングの空間部に挿入され前記カニューレの内腔に連通する筒状連通部と、外部機器に接続される接続部とからなるコネクターと
を備えた留置針を収容するための留置針の包装容器であって、
前記金属針を前記外針内に挿入して前記内針を前記外針に取り付けた状態の前記外針と前記内針とを収容する内外針収容部と、前記コネクターを収容するコネクター収容部とを備え、前記内外針収容部と、前記コネクター収容部とを別々に開封可能にしたことを特徴とする留置針の包装容器。
【請求項２】
前記コネクター収容部を、前記コネクターの筒状連通部の少なくとも先端開口部側部分を包囲した状態で前記コネクターを保持する保持部と、前記保持部に対して分離可能に結合され前記コネクターの接続部側部分を蓋するコネクター蓋部とで構成した請求項１に記載の留置針の包装容器。
【請求項３】
前記コネクター収容部の保持部における前記筒状連通部を包囲する部分の近傍に、前記筒状連通部に連通する空気逃がし用の流路を形成した請求項２に記載の留置針の包装容器。
【請求項４】
前記内外針収容部と前記コネクター収容部とを分離可能に結合した請求項１ないし３のうちのいずれか一つに記載の留置針の包装容器。
【請求項５】
前記内外針収容部を、収容部本体と内外針蓋部とで構成し、前記内外針蓋部をコネクター収容部と分離可能に結合した請求項４に記載の留置針の包装容器。
【発明の詳細な説明】
【技術分野】
【０００１】
本発明は、血液透析等を行う際に血管に留置される留置針を収容するための留置針の包装容器に関する。
【背景技術】
【０００２】
従来から、留置針を用いて、患者の血管に対して、血液透析を行ったり、所定の薬液等を供給したりする処置が行われている。このような留置針は、所定の包装容器内に収容され、使用する際に包装容器を開封することにより取り出される（例えば、特許文献１参照）。この包装容器は、留置針を収容する凹部が形成されたプラスチックシートと、プラスチックシートの縁部に貼り付けられた台紙とで構成されている。そして、凹部と台紙で形成される空間部内に留置針が密閉状態で収容されており、使用の際には、包装容器におけるプラスチックシートから台紙を剥がすことにより凹部内の留置針が取り出される。
【特許文献１】特開２０００―４２１０８号公報
【発明の開示】
【０００３】
しかしながら、留置針のなかには、患者の血管内に留置するための外針と、外針の内部に挿入され、外針を患者の血管に穿刺する処置をスムーズにするための内針とを備えたものがある。また、このような留置針は、外針を内針とともに血管内に留置し、内針を外針（血管）から抜き取ったのちに、外針の後端部に所定の血液や薬液等を供給するためのチューブ部材等を接続するためのコネクターを備えている。このような留置針を前述した従来の包装容器に収容した場合、包装容器を開封すると、収容されている外針、内針およびコネクターのすべてが取り出される。この結果、外針と内針とを用いて所定の処置を行っている間に、コネクターの開口部等に手が触れたりして汚してしまうという問題が生じ易くなる。
【０００４】
本発明はこのような事情に鑑みなされたもので、その目的は、コネクターを外針や内針と別々に収容して、外針や内針と別々に取り出すことができる留置針の包装容器を提供することにある。
【０００５】
前述した目的を達成するため、本発明に係る留置針の包装容器の構成上の特徴は、内腔を備えたカニューレとカニューレの基端部に連結され内部にカニューレの内腔に連通する空間部が設けられたハウジングとからなる外針と、カニューレの先端開口部から先端部を突出させた状態で外針内に挿入可能な金属針と金属針の基端部に連結されたハブとからなる内針と、内針が外針から取り外されているときに、ハウジングに連結できる連結部と、ハウジングの空間部に挿入されカニューレの内腔に連通する筒状連通部と、外部機器に接続される接続部とからなるコネクターとを備えた留置針を収容するための留置針の包装容器であって、金属針を外針内に挿入して内針を外針に取り付けた状態の外針と内針とを収容する内外針収容部と、コネクターを収容するコネクター収容部とを備え、内外針収容部と、コネクター収容部とを別々に開封可能にしたことにある。
【０００６】
前述したように構成した本発明に係る留置針の包装容器は、外針と内針とを組み付けた状態で収容できる内外針収容部と、コネクターを収容するコネクター収容部とで構成され、コネクターを外針や内針とは別に包装容器から取り出せるようになっている。この外針、内針およびコネクターで構成される留置針は、外針を内針とともに血管内に留置し、内針を外針から抜き取ったのちに、外針にコネクターを組み付ける順番で使用される。したがって、外針を血管内に留置して内針を外針から抜き取るまでは、コネクターを包装容器内に収容したままにしておくことができる。これによって、不注意にコネクターを汚すことを防止することができる。また、この場合の内外針収容部とコネクター収容部とは、一体的に形成されていてもよいし、別体で構成されていてもよい。
【０００７】
また、本発明に係る留置針の包装容器の他の構成上の特徴は、コネクター収容部を、コネクターの筒状連通部の少なくとも先端開口部側部分を包囲した状態でコネクターを保持する保持部と、保持部に対して分離可能に結合されコネクターの接続部側部分を蓋するコネクター蓋部とで構成したことにある。
【０００８】
このように構成した留置針の包装容器では、コネクターの筒状連通部が保持部によって包囲され、コネクター蓋部がコネクターの接続部側部分を蓋しているため、コネクター蓋部を開けても筒状連通部を清潔な状態に維持できる。また、コネクターを保持部に保持させたままの状態で、コネクター蓋部を開けてコネクターの接続部に外部機器を接続することができる。また、これによると、外針にコネクターを接続する直前まで、コネクターの筒状連通部を保持部内に入れておくことができ、外針から内針が抜かれると、すぐに、コネクターを介して外針に外部機器を接続することができる。
【０００９】
また、本発明に係る留置針の包装容器のさらに他の構成上の特徴は、コネクター収容部の保持部における筒状連通部を包囲する部分の近傍に、筒状連通部に連通する空気逃がし用の流路を形成したことにある。これによると、コネクターを保持部に保持させたままの状態で、コネクター蓋部を開けてコネクターの接続部に外部機器を接続し、外部機器から少量の薬液等の液体を供給することにより、筒状連通部内の空気を外部に放出し、筒状連通部に液体を充填しておくことができる。これによると、外針にコネクターを接続したときには、コネクターの内部には、空気がなくなるため、誤って患者の血管内に空気を入れることがなくなり、安全性が向上する。
【００１０】
また、本発明に係る留置針の包装容器のさらに他の構成上の特徴は、内外針収容部とコネクター収容部とを分離可能に結合したことにある。また、この場合、内外針収容部を、収容部本体と内外針蓋部とで構成し、内外針蓋部をコネクター収容部と分離可能に結合することが好ましい。これによると、内外針収容部とコネクター収容部とをコンパクトに組み付けることができる。また、内外針収容部の収容部本体からコネクター収容部を内外針蓋部とともに外すことにより、外針と内針とを取り出すことができる。そして、外針と内針とを患者の血管に穿刺し、外針から内針を抜いたのちに、コネクターをコネクター収容部から取り出すことができる。この結果、使用する順番に応じて各部材を取り出すことができる。
【発明を実施するための最良の形態】
【００１１】
以下、本発明に係る留置針の包装容器を図面を用いて詳しく説明する。図１は、同実施形態に係る包装容器１０内に、患者の血管内に留置される留置針を収容して構成される留置針セットＡを示している。すなわち、留置針セットＡは、包装容器１０と、患者の血管に刺し込まれる外針２０と、外針２０の内部に挿入可能な先端部を有する内針３０と、外針２０の後端部に接続可能なコネクター４０とで構成されており、外針２０、内針３０およびコネクター４０で留置針が構成される。
【００１２】
包装容器１０は、図２ないし図４に示したように、内外針収容部１１と、コネクター収容部１２とで構成されている。そして、内外針収容部１１は、図５に示したように組み付けられた外針２０と内針３０とを収容し、コネクター収容部１２は、図６に示したコネクター４０を収容する。また、内外針収容部１１は、一端が閉塞された長い円筒状の容器からなる収容部本体１３と、収容部本体１３の他端開口部に着脱可能に取り付けられ、収容部本体１３の他端開口を開閉する軸方向の長さが長いキャップ状の内外針蓋部１４とで構成されている。
【００１３】
収容部本体１３の他端側部分は、外径が大きくなるように厚肉に形成され、その外周面に軸方向に延びる複数の滑り止め用の突部１３ａが軸回り方向に一定間隔を保って形成されている。また、収容部本体１３の他端側開口部は、内径が大きくなるように薄肉に形成された円筒状の挿入係合部１３ｂで構成されている。そして、内外針蓋部１４の一端部には、挿入係合部１３ｂを挿入させることにより、収容部本体１３に内外針蓋部１４を係合させる被挿入凹部１４ａが形成されている。このため、内外針蓋部１４は、被挿入凹部１４ａに挿入係合部１３ｂを係合させることにより、収容部本体１３に対して着脱可能になっている。また、内外針蓋部１４の他端には、薄肉円筒状の挿入係合部１４ｂが形成されている。
【００１４】
コネクター収容部１２は、一端が閉塞された、軸方向の長さが短い筒状の容器からなる保持部１５と、保持部１５の他端開口部に着脱可能に取り付けられ、保持部１５の他端開口を開閉する軸方向の長さが短いキャップ状のコネクター蓋部１６とで構成されている。そして、保持部１５の一端部には、挿入係合部１４ｂを挿入させることにより、内外針蓋部１４に保持部１５を係合させる被挿入凹部１５ａが形成されている。保持部１５は、被挿入凹部１５ａに挿入係合部１４ｂを係合させることにより、内外針蓋部１４に対して着脱可能になっている。
【００１５】
また、保持部１５の他端には、薄肉円筒状の挿入係合部１５ｂが形成されている。そして、保持部１５の内部における挿入係合部１５ｂよりも奥側部分は奥側に向かって先細りになった円錐状の凹部１５ｃに形成され、凹部１５ｃの奥端部に、円柱状の保持穴１７が形成されている。また、保持穴１７の周囲には、図７に示したように、断面形状が扇形の４個の空気逃がし用の流路１８が軸回り方向に間隔を保って形成されている。この流路１８は、一端部が閉塞され、他端部が凹部１５ｃに連通している。また、流路１８は、保持穴１７にも連通している。
【００１６】
コネクター蓋部１６の一端部には、挿入係合部１５ｂを挿入させることにより、保持部１５にコネクター蓋部１６を係合させる被挿入凹部１６ａが形成されている。このため、コネクター蓋部１６は、被挿入凹部１６ａに挿入係合部１５ｂを係合させることにより、保持部１５に対して着脱可能になっている。また、コネクター蓋部１６の外周面における他端部側部分に軸方向に延びる複数の滑り止め用の突部１６ｂが軸回り方向に一定間隔を保って形成されている。このように構成された包装容器１０は、収容部本体１３と内外針蓋部１４との内部に、組み付けられた状態の外針２０と内針３０とを出し入れ自在に収容し、保持部１５とコネクター蓋部１６との内部にコネクター４０を出し入れ自在に収容している。そして、内外針蓋部１４と保持部１５とを組み付けることにより、これらを一体的にすることができる。
【００１７】
外針２０は、図８に示したように、細管状のカニューレ２１と、カニューレ２１の基端部（図示の右側に位置する後端部）に連結されたハウジング２２とを備えている。そして、ハウジング２２は、中央に位置しハウジング２２の本体部分を構成するハウジング本体２２ａと、カニューレ２１とハウジング本体２２ａとを接続する接続部２２ｂと、ハウジング本体２２ａの後端部に形成され、外針２０にコネクター４０を連結するための連結部２２ｃとで構成されている。
【００１８】
カニューレ２１は、患者の血管内に留置されて、血管から血液を取り出したり、血管に薬液等を供給したりする。接続部２２ｂは、先端側が細くなった先細りの筒状に形成されており、細径側先端部にカニューレ２１の後端部が接続され、大径側後端部にハウジング本体２２ａが接続されている。ハウジング本体２２ａは、接続部２２ｂの後端部外周を覆うようにして接続部２２ｂに接続されており、後端部内周には、内径が接続部２２ｂの内径と略同一に設定されたフランジ状の突部２３が形成されている。そして、ハウジング本体２２ａの内部における接続部２２ｂの後端面と突部２３との間には、フィルター２４と弁体２５とが並んで設けられている。
【００１９】
フィルター２４は、疎水性材料をリング状に形成したものであり、空気等の気体は通過させるが血液等の液体は通過させない性質を有している。また、弁体２５は、弾性を備えたイソプレンゴムからなっており中心軸に沿った部分に開閉孔２５ａが形成されている。この開閉孔２５ａは通常時には、閉塞状態を維持しているが、図１および図５に示したように、外針２０内に内針３０を挿入したときや、後述するように、外針２０にコネクター４０を挿入したときには、内針３０の先端側挿入部分やコネクター４０の先端側挿入部分を液密的に通すことができる。また、ハウジング本体２２ａと接続部２２ｂとの境界部には、接続部２２ｂの内部側からフィルター２４を通過した気体を外部に放出するための気体通路２６が形成されている。
【００２０】
連結部２２ｃは、内径がハウジング本体２２ａの外径と略同じ大きさに設定された軸方向の長さが短い円筒状に形成されている。そして、連結部２２ｃの上部および下部には、連結部２２ｃの後端縁部から連結部２２ｃの軸方向に沿った中央側に延びるガイド溝２７がそれぞれ形成され、ガイド溝２７の奥端部に係合穴２８が形成されている。ガイド溝２７は、後端側が幅広で先端側に行くほど徐々に幅が狭くなるように形成されており、係合穴２８は、ガイド溝２７の最狭部２７ａの幅よりも直径が大きくなった略円形の穴部で構成されている。
【００２１】
内針３０は、図９に示したように、ステンレス製の金属針３１と、金属針３１の基端側部分（図示の右側に位置する後端部）に固定されたハブ３２と、ハブ３２の後端部に着脱可能に取り付けられたプラグ３３とで構成されている。金属針３１は細管状の注射針からなっており、先端部３１ａが軸方向に対して傾斜して形成された先鋭部で構成されている。また、金属針３１における先端部３１ａよりもやや後端側部分に、段部３１ｂが形成されており、この段部３１ｂを挟んで先端側の直径が後端側の直径よりもやや大きくなるように設定されている。この金属針３１は、カニューレ２１の先端部を患者の血管に刺し込む際に、その刺し込みがスムーズに行えるようにするためのもので、外針２０の後端部から差し込まれ、弁体２５の開閉孔２５ａを通過してカニューレ２１の先端開口から先端部３１ａを外部に突出させた状態で使用される。
【００２２】
ハブ３２は、内針３０を持つための把持部として機能する部分であり、金属針３１の後端部の外周部を被覆するようにして金属針３１に固定されている。このハブ３２は、中央部に位置して金属針３１を固定するハブ本体３２ａと、金属針３１の周面から所定間隔を保った状態でハブ本体３２ａの前部側に形成された筒状の収容部３２ｂと、ハブ本体３２ａの後部側に形成され、後方に向って開口した凹部を備えた筒状のプラグ取付部３２ｃとで構成されている。そして、収容部３２ｂの前端周縁部にフランジ状の鍔部３２ｄが形成されている。
【００２３】
プラグ３３は、プラグ取付部３２ｃの開口を開閉するための蓋として用いられるもので、プラグ取付部３２ｃの凹部内に着脱可能に押し込むことのできる円筒状の栓部３３ａと、栓部３３ａの後端部に固定され、後方に向って開口した凹部を備えた把持部３３ｂとで構成されている。そして、把持部３３ｂの凹部内の奥端部にはセルロース製のフィルター３３ｃが設けられている。このフィルター３３ｃは、空気は通すが血液は通さないように構成されている。
【００２４】
このように構成された外針２０と内針３０とは、使用前には、図５に示したように組み付けられており、その際には、外針２０と内針３０との境界部に、針先保護具３５が設置されている。この針先保護具３５は、図１０に示したように構成されており、外針２０の連結部２２ｃ内に挿入可能な円筒箱状のばね収容部３６と、内針３０の収容部３２ｂ内に挿入可能な筒状の挿入部３７とを備えている。そして、ばね収容部３６内の上下方向の中央よりもやや下方部分に係止部３６ａが設けられ、ばね収容部３６の上面には突出用孔３６ｂが設けられている。また、ばね収容部３６の前面における略中央には、金属針３１が挿通できる挿通孔３６ｃが設けられている。
【００２５】
また、ばね収容部３６内における係止部３６ａとばね収容部３６の上面部との間に、昇降台３８ａと、昇降台３８ａの上面中央から上方に向かって延び突出用孔３６ｂから外部に向って突出できる突出棒３８ｂとからなる昇降部材３８が設けられている。そして、突出棒３８ｂの外周に、ステンレス製のコイルばね３９が取り付けられている。このコイルばね３９の直径は突出用孔３６ｂの直径よりも大きく設定され、突出用孔３６ｂから突出できなくなっている。したがって、昇降台３８ａを上方に移動させたときには、突出棒３８ｂが突出用孔３６ｂから外部に突出し、コイルばね３９は、昇降台３８ａを上方に移動させる力に抗して収縮する。
【００２６】
また、挿入部３７の内部には、内径が金属針３１の先端側部分の外径と略等しく設定された挿通孔３７ａが形成されている。そして、この挿通孔３７ａの後端部には、内径がやや小さくなった小径部３７ｂが形成されており、この小径部３７ｂの端に形成される段が、金属針３１の段部３１ｂと係合可能になっている。この挿通孔３７ａは、ばね収容部３６内の空間部を介して挿通孔３６ｃに連通している。このように構成された針先保護具３５は、挿通孔３７ａ，３６ｃに金属針３１を挿通させ、挿入部３７を収容部３２ｂ内に挿入させた状態で内針３０に組み付けられる。その際、金属針３１によって昇降部材３８が上方に押し上げられ、突出棒３８ｂをハウジング２２の係合穴２８内に係合させた状態で、針先保護具３５は、外針２０の連結部２２ｃ内に設置される。この突出棒３８ｂと係合穴２８との係合によって、針先保護具３５は、ハウジング２２内に固定された状態を維持する。
【００２７】
コネクター４０は、図６に示したように、基管４１と、基管４１の先端部から前方に延びる細径の筒状連通部４２と、基管４１の先端外周部の上下部分から前方に延びる一対の係合突部４３と、基管４１の先端外周部の左右部分から前方に延びる一対の弾性ガイド部４４とで構成されている。コネクター４０は、外部のチューブ部材４６（図１１参照）等に接続されて、チューブ部材４６等から供給される薬液等を外針２０に送るためのもので、基管４１の後端外周部には、チューブ部材４６等の端部を接続するための本発明の接続部としてのねじ部４１ａが形成されている。
【００２８】
筒状連通部４２は、内径が均一で外径が基管４１側の基部４２ａが大きく、先端側の挿入部４２ｂが小さく設定された段状の管で構成されており、挿入部４２ｂは、弁体２５の開閉孔２５ａに液密的に挿入可能になっている。また、係合突部４３は、それぞれ基管４１の先端外周部から延びる弾性を備えた薄板状の可撓片４３ａと、可撓片４３ａの外側面から外部側に向って突出した短い円柱状の係合突起４３ｂとで構成されている。そして、係合突起４３ｂの端面中央部から外側に向って、係合突起４３ｂよりも細径に形成された円柱状の押圧部４５が突出している。また、弾性ガイド部４４は、基管４１の先端外周部から延びる四角状の薄板で構成されている。
【００２９】
コネクター４０は、挿入部４２ｂを弁体２５の開閉孔２５ａに挿入させ、可撓片４３ａおよび弾性ガイド部４４を連結部２２ｃ内に挿入させた状態でハウジング２２に連結される。その際、係合突起４３ｂが、係合穴２８に係合し、押圧部４５が連結部２２ｃの外部に突出した状態になる。また、ハウジング２２にコネクター４０を取り付ける場合や、ハウジング２２からコネクター４０を取り外す際には、押圧部４５を連結部２２ｃの内部側に押して、係合突起４３ｂを連結部２２ｃの内部側に位置させる。これによって、押圧部４５の太さがガイド溝２７の最狭部２７ａの幅よりも小さいため、押圧部４５はガイド溝２７内を移動可能になり、コネクター４０のハウジング２２への取り付けや取り外しが可能になる。
【００３０】
なお、係合突部４３、弾性ガイド部４４および押圧部４５で本発明に係る連結部が構成される。なお、留置針セットＡを構成する包装容器１０はポリスチレンで構成され、外針２０、内針３０の金属針３１以外の部分、針先保護具３５のコイルばね３９以外の部分およびコネクター４０は、透明または半透明のポリプロピレンで構成されている。また、内針３０のハブ３２は、金属針３１を介して内部に血液が入ったときにその確認ができるように透明材料で構成されている。
【００３１】
この構成において、留置針を使用する場合には、まず、図１に示した状態の留置針セットＡにおける内外針蓋部１４の挿入係合部１４ｂと保持部１５の被挿入凹部１５ａとの係合を解除させて、内外針収容部１１とコネクター収容部１２とを分離する。さらに、挿入係合部１５ｂと被挿入凹部１６ａとの係合を解除させて、コネクター収容部１２の保持部１５からコネクター蓋部１６を取り外して図１２の状態にする。
【００３２】
ついで、図１３に示したように、保持部１５に保持された状態のコネクター４０のねじ部４１ａに、チューブ部材４６の接続部４７を接続することにより、コネクター４０にチューブ部材４６を接続する。そして、チューブ部材４６に接続された薬液等の供給装置を作動させて、少量の薬液等をコネクター４０に供給する。これによって、コネクター４０の筒状連通部４２内の空気は、保持穴１７および流路１８から保持部１５の外部に放出され、筒状連通部４２の内部は薬液で満たされた状態になる。
【００３３】
つぎに、挿入係合部１３ｂと被挿入凹部１４ａとの係合を解除させて、収容部本体１３から内外針蓋部１４を取り外して図１４の状態にしたのち、開いた収容部本体１３から、組み合わされた状態の外針２０と内針３０とを取り出して、図１５の状態にする。そして、カニューレ２１の先端部を金属針３１の先端部３１ａとともに患者の例えば腕に穿刺して血管まで到達させる。これによって、血管内の血液が、金属針３１内に浸入して、ハブ３２のハブ本体３２ａ内に入り込む。この結果、ハブ３２の色が赤くなるため、金属針３１の先端部３１ａが血管に到達したことを確認することができる。この際、金属針３１内の空気は、血液によって金属針３１内の後端側に押し込まれ、フィルター３３ｃを通過して外部に放出される。
【００３４】
ついで、外針２０を患者の血管に留置したままの状態で、内針３０を外針２０の後部側に引いていく。これによって、内針３０の収容部３２ｂから針先保護具３５の挿入部３７が抜け、金属針３１が弁体２５の開閉孔２５ａや挿入部３７の挿通孔３７ａの周面に摺接しながら外針２０から後退していく。さらに、内針３０を外針２０の後部側に引いていき、金属針３１の先端部３１ａが、針先保護具３５のばね収容部３６内を通過すると、コイルばね３９の復元力によって、昇降部材３８が下降し、突出棒３８ｂと係合穴２８との係合が解除される。
【００３５】
これによって、針先保護具３５は移動可能な状態になり、金属針３１の段部３１ｂと挿入部３７の挿通孔３７ａの小径部３７ｂの端に形成される段との係合によって、針先保護具３５は金属針３１とともにハウジング２２から抜け出て、図１６の状態（この場合、コネクター４０はまだ保持部１５に保持された状態を維持している。）になる。この場合、金属針３１は、弁体２５の開閉孔２５ａ内を通過して出ていくが、金属針３１と開閉孔２５ａの内周面とは液密的に密着しているため、開閉孔２５ａから血液が外部に漏れ出ることがない。また、外針２０から内針３０を抜き取ったのちには、開閉孔２５ａは閉塞状態になるため、ハウジング２２の後端部から血液が吐出することもない。
【００３６】
つぎに、コネクター４０を保持部１５から外し、そのコネクター４０をハウジング２２内に挿し込んで、図１７の状態にする。この場合、コネクター４０の両押圧部４５を押さえた状態で、コネクター４０をハウジング２２内に押し込む。そして、チューブ部材４６に接続された薬液等の供給装置を作動させて、薬液等を血管内に供給する。以上のようにして、留置針と包装容器１０とからなる留置針セットＡの使用が行われる。
【００３７】
このように、この留置針の包装容器１０は、外針２０と内針３０とを組み付けた状態で収容する内外針収容部１１と、コネクター４０を収容するコネクター収容部１２とで構成され、コネクター４０を外針２０や内針３０とは別々に取り出せるようになっている。また、コネクター４０の筒状連通部４２の先端部は保持部１５によって包囲され、コネクター蓋部１６はコネクター４０のねじ部４１ａ側部分を蓋するように構成されている。
【００３８】
このため、外針２０にコネクター４０を接続する直前まで、コネクター４０の筒状連通部４２を保持部１５内に入れておくことができ、外針２０から内針３０が抜かれると、すぐに、コネクター４０を保持部１５から外して外針２０に接続することができる。これによって、不注意にコネクター４０を汚すことを防止することができる。また、コネクター４０を保持部１５に保持させたままの状態で、コネクター蓋部１６を開けてコネクター４０のねじ部４１ａにチューブ部材４６を接続することができるため、コネクター蓋部１６を開けても筒状連通部４２を清潔な状態に維持できる。
【００３９】
さらに、筒状連通部４２を保持する保持穴１７の周囲に空気逃がし用の流路１８を形成している。このため、コネクター４０を保持部１５に保持させたままの状態で、コネクター蓋部１６を開けてコネクター４０のねじ部４１ａにチューブ部材４６を接続し、チューブ部材４６を介して少量の薬液等を供給することにより、筒状連通部４２内の空気を外部に放出し、筒状連通部４２に薬液等を充填しておくことができる。これによると、外針２０にコネクター４０を接続したときには、コネクター４０の内部には、空気がなくなるため、誤って患者の血管内に空気を入れることがなくなり、安全性が向上する。また、内外針収容部１１の内外針蓋部１４とコネクター収容部１２の保持部１５と分離可能に結合しているため、内外針収容部１１とコネクター収容部１２とをコンパクトに組み付けることができる。
【００４０】
また、本発明に係る留置針の包装容器は、前述した実施形態に限定するものでなく、適宜変更して実施することができる。例えば、前述した実施形態では、内外針収容部１１とコネクター収容部１２とを着脱可能にしているが、内外針収容部とコネクター収容部との本体部分を一体的に形成され２個の収容部を備えた筒状体で構成することもできる。この場合、筒状体の内部に仕切り壁を設けて２個の収容部を形成するとともに両端側を開口させ、その開口部にそれぞれ蓋部を取り付けるようにすることができる。また、内外針収容部１１の内外針蓋部１４とコネクター収容部１２の保持部１５とを一体的に形成することもできる。
【００４１】
さらに、前述した実施形態では、外針２０、内針３０の金属針３１以外の部分、針先保護具３５のコイルばね３９以外の部分およびコネクター４０をポリプロピレンで構成しているが、これらを構成する材料についても、適宜変更することができる。例えば、ハウジング２２、ハブ３２、コネクター４０については、ポリカーボネート、ポリウレタン、ナイロン、シリコーン樹脂、ポリエーテルイミド、ポリエーテルエーテルケトン、ＡＢＳ樹脂、ポリエチレン等の各材料を用いて形成することができる。
【００４２】
また、カニューレ２１は、フッ素樹脂、ポリウレタン等の材料を用いて形成することができる。さらに、弁体２５については、シリコーン樹脂、ポリ塩化ビニル、ポリウレタン等の材料を用いて形成することができ、コイルばね３９については、チタン、ポリエーテルエーテルケトン、ポリカーボネート等の材料を用いて形成することができる。さらに、本発明に係る留置針セットは、血管に限らず、腎盂、膀胱などの体内の部位に対しても使用することができる。
【図面の簡単な説明】
【００４３】
【図１】本発明の一実施形態に係る留置針を包装容器内に収容した状態を示した断面図である。
【図２】包装容器の正面図である。
【図３】包装容器の断面図である。
【図４】図３に示した包装容器の分解図である。
【図５】外針と内針とを組み付けた状態を示した断面図である。
【図６】コネクターを示しており、（ａ）は平面図、（ｂ）は側面図、（ｃ）は（ａ）の６−６断面図である。
【図７】図１の７−７断面図である。
【図８】外針を示した断面図である。
【図９】内針を示した断面図である。
【図１０】コネクターを示した断面図である。
【図１１】コネクターにチューブ部材を接続させた状態を示した断面図である。
【図１２】図１に示した内外針収容部とコネクター収容部とを分離し、コネクター収容部の保持部からコネクター蓋部を外した状態を示した断面図である。
【図１３】保持部に保持されたコネクターにチューブ部材を接続させた状態を示した断面図である。
【図１４】図１２に示した内外針収容部の収容部本体から内外針蓋部を外した状態を示した断面図である。
【図１５】図１４に示した内外針収容部の収容部本体から外針と内針を取り出した状態を示した断面図である。
【図１６】外針から内針を抜いた状態を示した断面図である。
【図１７】コネクターを介して外針にチューブ部材を接続させた状態を示した断面図である。
【符号の説明】
【００４４】
１０…包装容器、１１…内外針収容部、１２…コネクター収容部、１３…収容部本体、１４…内外針蓋部、１５…保持部、１６…コネクター蓋部、１７…保持穴、１８…流路、２０…外針、２１…カニューレ、２２…ハウジング、３０…内針、３１…金属針、３１ａ…先端部、３２…ハブ、４０…コネクター、４１ａ…ねじ部、４２…筒状連通部、４３…係合突部、４３ａ…可撓片、４３ｂ…係合突起、４４…弾性ガイド部、４５…押圧部、４６…チューブ部材。
【図１】
2007007240.tif 000003
【図２】
2007007240.tif 000004
【図３】
2007007240.tif 000005
【図４】
2007007240.tif 000006
【図５】
2007007240.tif 000007
【図６】
2007007240.tif 000008
【図７】
2007007240.tif 000009
【図８】
2007007240.tif 000010
【図９】
2007007240.tif 000011
【図１０】
2007007240.tif 000012
【図１１】
2007007240.tif 000013
【図１２】
2007007240.tif 000014
【図１３】
2007007240.tif 000015
【図１４】
2007007240.tif 000016
【図１５】
2007007240.tif 000017
【図１６】
2007007240.tif 000018
【図１７】
2007007240.tif 000019